(57)【要約】  【課題】  ＰＣＡの無駄な消費を抑えると共に、記録開始時にＯＰＣ処理に伴うメカ動作音が記録されないようにする。  【解決手段】  ディスクが装填されると、ディスク判別、サーボ調整、ＲＭＡ読み取りの後に、ＰＣＡの最終使用位置ＰＣＡｄｄｒを検索する。ＰＣＡｄｄｒがＰＣＡ内の所定アドレスＡより大きく、ＰＣＡの既使用量が少なければ、続けてＯＰＣ処理を行う。ＰＣＡｄｄｒが所定アドレスＡより小さくＰＣＡの既使用量が多ければ、記録開始時にＯＰＣ処理を行う。ＰＣＡの既使用量が少ない場合、ディスクの挿入時にＯＰＣ処理が予め行われ、記録開始時にはＯＰＣ処理が行われないため、ＯＰＣ処理に伴うメカ動作音などが記録されることがない。ＰＣＡの既使用量が多い場合、記録開始までＯＰＣ処理が行われないため、記録を伴わないディスクのロード／アンロードなどでＰＣＡを無駄に消費しない。【選択図】  図４
2006318561.tif 000002
【特許請求の範囲】
【請求項１】
光ディスクに対してデータを記録する記録部と、
装填された光ディスクに設けられた試し書き領域を用いて該光ディスクに対するＯＰＣ(Optimum Power Control)処理を行うように上記記録部を制御し、該ＯＰＣ処理の結果に基づき上記記録部による記録パワーを設定する制御部と
を有し、
上記制御部は、上記装填された光ディスクの上記試し書き領域の使用状況に応じた上記ＯＰＣ処理を実行するようにした
ことを特徴とするディスク記録装置。
【請求項２】
請求項１に記載のディスク記録装置において、
上記使用状況は、上記試し書き領域の既に使用されている既使用量である
ことを特徴とするディスク記録装置。
【請求項３】
請求項２に記載のディスク記録装置において、
上記制御部は、上記光ディスクの装填時に上記判断を行うようにし、
上記装填された光ディスクの試し書き領域の既使用量が所定以下であれば、上記ＯＰＣ処理を上記光ディスクの上記装填時に行い、
上記装填された光ディスクの試し書き領域の既使用量が所定以上であれば、上記ＯＰＣ処理を上記記録部により上記記録が行われる際に行う
ようにしたことを特徴とするディスク記録装置。
【請求項４】
請求項２に記載のディスク記録装置において、
少なくとも、上記記録部により上記光ディスクにデータを記録する第１の動作モードと、上記記録部により上記光ディスクにデータを記録しない第２の動作モードとを有し、
上記制御部は、上記第１の動作モードになったときに上記判断を行うようにし、
上記装填された光ディスクの試し書き領域の既使用量が所定以下であれば、上記ＯＰＣ処理を上記第１の動作モードになったときに行い、
上記装填された光ディスクの試し書き領域の既使用量が所定以上であれば、上記ＯＰＣ処理を上記記録部により上記記録が行われる際に行う
ようにしたことを特徴とするディスク記録装置。
【請求項５】
請求項１に記載のディスク記録装置において、
装置内の温度を検出する温度検出部をさらに有し、
上記制御部は、
上記光ディスクに対して上記ＯＰＣ処理を行った後、該ＯＰＣ処理を行ったことを示すフラグを記憶すると共に上記温度検出部で第１の温度情報を検出して記憶し、
上記記録部により上記光ディスクに対してデータの記録がなされる際に、上記フラグがＯＰＣ処理を行ったことを示していれば、上記温度検出部で第２の温度情報を検出し、
上記第１の温度情報と該第２の温度情報との差が所定以上であれば上記ＯＰＣ処理を行ってから上記記録を行うようにした
ことを特徴とするディスク記録装置。
【請求項６】
請求項５に記載のディスク記録装置において、
上記制御部は、上記第１の温度情報と上記第２の温度情報との差が所定以下であれば上記ＯＰＣ処理を行わないで上記記録を行うようにした
ことを特徴とするディスク記録装置。
【請求項７】
装填された光ディスクに設けられた試し書き領域を用いて該光ディスクに対するＯＰＣ処理を行うように制御し、該ＯＰＣ処理の結果に基づき該光ディスクに対してデータを記録する際の記録パワーを設定するようにされ、
上記装填された光ディスクの上記試し書き領域の使用状況に応じた上記ＯＰＣ処理を実行するようにした
ことを特徴とするディスク記録方法。
【請求項８】
装填された光ディスクに設けられた試し書き領域を用いて該光ディスクに対するＯＰＣ処理を行うように制御し、該ＯＰＣ処理の結果に基づき該光ディスクに対してデータを記録する際の記録パワーを設定するようにされ、
上記装填された光ディスクの上記試し書き領域の使用状況に応じた上記ＯＰＣ処理を実行する
ようにしたディスク記録方法をコンピュータ装置に実行させることを特徴とするディスク記録プログラム。
【請求項９】
装填された光ディスクに設けられた試し書き領域を用いて該光ディスクに対するＯＰＣ処理を行うように制御し、該ＯＰＣ処理の結果に基づき該光ディスクに対してデータを記録する際の記録パワーを設定するようにされ、
上記装填された光ディスクの上記試し書き領域の使用状況に応じた上記ＯＰＣ処理を実行する
ようにしたディスク記録方法をコンピュータ装置に実行させるディスク記録プログラムが記録された
ことを特徴とするコンピュータ装置に読み取り可能な記録媒体。
【請求項１０】
被写体からの光を撮像し映像信号として出力する撮像部と、
音声を収音し音声信号に変換して出力する収音部と、
少なくとも、上記撮像部から出力された上記映像信号に基づくデータと、上記収音部から出力された上記音声信号に基づくデータとを光ディスクに対して記録する記録部と、
装填された光ディスクに設けられた試し書き領域を用いて該光ディスクに対するＯＰＣ処理を行うように上記記録部を制御し、該ＯＰＣ処理の結果に基づき上記記録部による記録パワーを設定する制御部と
を有し、
上記制御部は、上記装填された光ディスクの上記試し書き領域の使用状況に応じた上記ＯＰＣ処理を実行するようにした
ことを特徴とする撮像装置。
【発明の詳細な説明】
【技術分野】
【０００１】
この発明は、レーザ光を用いて光ディスクにデータを記録する際に用いて好適なディスク記録装置、ディスク記録方法、ディスク記録プログラムおよび記録媒体、ならびに、撮像装置に関する。
【背景技術】
【０００２】
近年、ディジタルデータを記録する記録媒体として、記録可能なタイプの光ディスクを用いるのが一般的になっている。そして、光ディスクの分野においては、再生互換を保ちながらも物理的特性の異なる記録可能光ディスクが複数種類、開発および実用化されている。これら、複数種類の記録可能光ディスクは、再生専用の光ディスクと同等の記録容量を持ち、また再生互換もあることから、急速な普及を遂げている。
【０００３】
このような記録可能光ディスクとして、ＣＤ(Compact Disc)の規格に準ずるものとして、ＣＤ−Ｒ(Compact Disc-Recordable)、ＣＤ−ＲＷ(Compact Disc-ReWritable)があり、ＤＶＤ(Digital Versatile Disc)の規格に準ずるものとして、ＤＶＤ−Ｒ(DVD Recordable)、ＤＶＤ＋Ｒ(DVD +R format)、ＤＶＤ−ＲＷ(DVD Re-recordable)、ＤＶＤ＋ＲＷ(DVD +RW format)などが広く知られている。これらのうち、ＤＶＤの規格に準ずるタイプは、記録容量が４．７ＧＢ(Giga Byte)以上と大きく、ビデオデータなどの記録に適しており、特に普及が著しい。
【０００４】
記録可能光ディスクの普及に伴い、従来は磁気テープが記録媒体に用いられていた携帯用ビデオカメラの分野でも、このＤＶＤの規格に準ずるタイプの記録可能光ディスクを記録媒体に用いた製品が出現してきている。このような製品では、携帯用ビデオカメラから取り出したディスクを、例えば家庭にある据置型の再生装置にそのまま装填するだけで、撮影した映像を鑑賞することができるため、利便性が極めて高い。
【０００５】
上述のＤＶＤの規格に準ずるタイプの記録可能光ディスクのうち、データの書き換えが可能とされたＤＶＤ−ＲＷおよびＤＶＤ＋ＲＷは、レーザ光のエネルギーによりディスク記録層をなす相変化膜を、結晶層と非結晶層との間で可逆的に変化させる相変化方式を用いている。一方、データの追記のみが可能なＤＶＤ−ＲおよびＤＶＤ＋Ｒは、有機色素からなるディスク記録層にレーザ光を集光させ、記録層および隣接する基板表面と反射層とを変形させる方式を用いている。
【０００６】
記録可能光ディスクに対して記録を行う際には、レーザ光の最適な記録パワーを得るために、ＯＰＣ(Optimum Power Control)と呼ばれる処理が行われる。これは、ディスク上に予め記録されたレーザパワー情報に基づきディスク上の所定領域を用いて試し書きを行い、最適記録パワーを求める。試し書きは、ディスク上に設けられた所定の領域を用いて行われる。例えばＤＶＤ−Ｒ規格およびＤＶＤ−ＲＷ規格においては、試し書きを行う領域として、ＰＣＡ(Power Caribration Area)と呼ばれる領域が規定されている。特許文献１には、ＯＰＣ処理をより高速且つ高精度に行うようにした技術が記載されている。
【特許文献１】特開２００４−２１３８０８号公報
【発明の開示】
【発明が解決しようとする課題】
【０００７】
ＯＰＣ処理は、通常、記録開始の直前に行われる。これは、ＰＣＡを用いて行うことができるＯＰＣ処理の回数に上限があるためである。すなわち、例えばディスクがドライブ装置に装填されたときにＯＰＣ処理を行うと、ディスクにデータを記録するか否かに関わらず、ディスクの装填および排出の度毎にＰＣＡが無駄に消費されてしまう。この場合、例えば、ＰＣＡを使い切ってしまったために、ディスクに記録可能な領域が十分あるにも関わらずそのディスクに対して記録動作が行えないといった事態が生じる可能性がある。
【０００８】
ここで、記録可能光ディスクを携帯用ビデオカメラの記録媒体として用いた際に、記録開始の直前にＯＰＣ処理を行う仕様とした場合について考える。ＯＰＣ処理にはある程度の処理時間を要するため、この場合、ユーザの記録開始を指示する操作に対して、実際に記録が開始されるタイミングが遅れてしまうという問題点があった。これは、携帯用ビデオカメラの動作としては、好ましくない。
【０００９】
この問題を解決するために、ＯＰＣ処理中に記録ビデオデータのエンコード処理を開始し、生成されたデータをＯＰＣ処理が終了するまで一時的にバッファに溜めておき、ＯＰＣ処理が終了したら、バッファに溜め込まれたデータをディスクに記録する方法が考えられる。しかしながら、この方法では、ＯＰＣ処理中に映像と共に音声も収録されることになるため、ＰＣＡへの光ピックアップのシーク動作音といった、ＯＰＣ処理に伴うメカ動作音が記録されてしまうという問題点があった。
【００１０】
また、上述した特許文献１では、記録開始前に、ＯＰＣ処理するアドレスに光ピックアップを予め移動させ留めておくことで、記録開始時になされるＯＰＣ処理における光ピックアップのシーク動作をなるべく少なくし、シーク動作によるメカ動作音を抑えるようにしている。しかしながら、この方法でも、ＯＰＣ処理後のＰＣＡから記録開始位置へのシーク動作は避けられず、その動作音が記録されてしまうという問題点があった。
【００１１】
したがって、この発明の目的は、ＰＣＡの無駄な消費を抑えると共に、記録開始時にＯＰＣ処理に伴うメカ動作音が記録されることを防ぐようにしたディスク記録装置、ディスク記録方法、ディスク記録プログラムおよび記録媒体、ならびに、撮像装置を提供することにある。
【課題を解決するための手段】
【００１２】
上述した課題を解決するために、第１の発明は、光ディスクに対してデータを記録する記録部と、装填された光ディスクに設けられた試し書き領域を用いて光ディスクに対するＯＰＣ(Optimum Power Control)処理を行うように記録部を制御し、ＯＰＣ処理の結果に基づき記録部による記録パワーを設定する制御部とを有し、制御部は、装填された光ディスクの試し書き領域の使用状況に応じたＯＰＣ処理を実行するようにしたことを特徴とするディスク記録装置である。
【００１３】
また、第２の発明は、装填された光ディスクに設けられた試し書き領域を用いて光ディスクに対するＯＰＣ処理を行うように制御し、ＯＰＣ処理の結果に基づき光ディスクに対してデータを記録する際の記録パワーを設定するようにされ、装填された光ディスクの試し書き領域の使用状況に応じたＯＰＣ処理を実行するようにしたことを特徴とするディスク記録方法である。
【００１４】
また、第３の発明は、装填された光ディスクに設けられた試し書き領域を用いて光ディスクに対するＯＰＣ処理を行うように制御し、ＯＰＣ処理の結果に基づき光ディスクに対してデータを記録する際の記録パワーを設定するようにされ、装填された光ディスクの試し書き領域の使用状況に応じたＯＰＣ処理を実行するようにしたディスク記録方法をコンピュータ装置に実行させることを特徴とするディスク記録プログラムである。
【００１５】
また、第４の発明は、装填された光ディスクに設けられた試し書き領域を用いて光ディスクに対するＯＰＣ処理を行うように制御し、ＯＰＣ処理の結果に基づき光ディスクに対してデータを記録する際の記録パワーを設定するようにされ、装填された光ディスクの試し書き領域の使用状況に応じたＯＰＣ処理を実行するようにしたディスク記録方法をコンピュータ装置に実行させるディスク記録プログラムが記録されたことを特徴とするコンピュータ装置に読み取り可能な記録媒体である。
【００１６】
また、第５の発明は、被写体からの光を撮像し映像信号として出力する撮像部と、音声を収音し音声信号に変換して出力する収音部と、少なくとも、撮像部から出力された映像信号に基づくデータと、収音部から出力された音声信号に基づくデータとを光ディスクに対して記録する記録部と、装填された光ディスクに設けられた試し書き領域を用いて光ディスクに対するＯＰＣ処理を行うように記録部を制御し、ＯＰＣ処理の結果に基づき記録部による記録パワーを設定する制御部とを有し、制御部は、装填された光ディスクの試し書き領域の使用状況に応じたＯＰＣ処理を実行するようにしたことを特徴とする撮像装置である。
【００１７】
第１〜第４の発明は、上述したように、装填された光ディスクに設けられた試し書き領域を用いて光ディスクに対するＯＰＣ処理を行うように制御し、ＯＰＣ処理の結果に基づき光ディスクに対してデータを記録する際の記録パワーを設定するようにされ、装填された光ディスクの試し書き領域の使用状況に応じたＯＰＣ処理を実行するようにしているため、光ディスクの試し書き領域が多く空いているときには、光ディスクの装填時にＯＰＣ処理を行うことで実際の記録時のレスポンスが向上され、試し書き領域の空きが少ないときには、実際に記録を開始する際にＯＰＣ処理を行うことで、試し書き領域を無駄に消費しない。
【００１８】
また、第５の発明は、上述したように、被写体からの光を撮像し映像信号として出力する撮像部と、音声を収音し音声信号に変換して出力する収音部と、少なくとも、撮像部から出力された映像信号に基づくデータと、収音部から出力された音声信号に基づくデータとを光ディスクに対して記録する記録部と、装填された光ディスクに設けられた試し書き領域を用いて光ディスクに対するＯＰＣ処理を行うように記録部を制御し、ＯＰＣ処理の結果に基づき記録部による記録パワーを設定する制御部とを有し、制御部は、装填された光ディスクの試し書き領域の使用状況に応じたＯＰＣ処理を実行するようにしているため、光ディスクの試し書き領域が多く空いているときには、光ディスクの装填時にＯＰＣ処理を行うことでＯＰＣ処理によるメカ動作音などが記録されることが防がれると共に記録動作のレスポンスが向上され、試し書き領域の空きが少ないときには、実際に記録を開始する際にＯＰＣ処理を行うことで、試し書き領域を無駄に消費しない。
【発明の効果】
【００１９】
上述したように、この発明は、ＰＣＡの既使用量が少ない場合には、ディスク２のディスクドライブ３に対する装填時にＯＰＣ処理を行うようにしている。そのため、ＰＣＡの既使用量が少ない場合、ユーザによる記録開始指示に先立ってＯＰＣ処理が行われ、ユーザにより記録開始が指示されてからはＯＰＣ処理が行われないので、記録開始時にＰＣＡへのシーク動作が行われず、シーク動作に伴う音声が記録されることがないという効果がある。それと共に、記録時にシーク動作に伴う振動も無くなるという効果がある。
【００２０】
さらに、ディスク装填時に予めＯＰＣ処理を行い、記録時には行われないため、記録操作から記録開始までのレスポンスが高速化されるという効果がある。
【００２１】
さらにまた、ＰＣＡ既使用量が多い場合には、ディスク装填時にＯＰＣ処理が行われないため、例えば記録動作を伴わないディスク２の装填／排出の繰り返しによるＰＣＡの無駄な消費を防ぐことができるという効果がある。
【発明を実施するための最良の形態】
【００２２】
以下、この発明の実施の一形態を、図面を参照しながら説明する。図１は、この発明に適用可能なビデオカメラ装置１の一例の構成を示す。このビデオカメラ装置１は、ＣＣＤ(Charge Coupled Device)などの撮像素子で撮像された撮像信号に基づく映像信号や、撮像に伴い収音された音声信号などを、記録可能なディスク２に対して記録するようにしたものである。ディスク２としては、ＤＶＤ(Digital Versatile Disc)の規格に準じたＤＶＤ−Ｒ(DVD Recordable)、ＤＶＤ−ＲＷ(DVD Re-recordable)、ＤＶＤ＋Ｒ(DVD +R format)、ＤＶＤ＋ＲＷ(DVD +RW format)などが用いて好適である。
【００２３】
このビデオカメラ装置１は、ディスク２に対する記録再生を行うディスクドライブ３、種々の操作子が設けられユーザ操作を受け付けるフロント制御部１１、操作入力に応じた動作制御信号や撮像や収音により得られた映像および音声信号の入出力制御を行うＨＩ制御部１２、撮像素子により被写体からの光を撮像し映像信号として出力するカメラ部１３、カメラ部１３の撮像動作を制御するカメラ制御部１４、プログラムに従いこのビデオカメラ装置１の全体の動作を制御するシステム制御部１５、メモリ２３を用いて映像信号および音声信号の圧縮符号化処理および圧縮符号化された映像信号および音声信号の伸長処理を行うコーデック処理部１６、カメラ部１３で撮像された映像が映出されビューファインダとして用いられる表示部１７、音声を収音し音声信号に変換するマイクロフォン（ＭＩＣ）２１およびマイクロフォン２１から出力された音声信号に所定の処理を施す音声処理部２２などを有する。
【００２４】
フロント制御部１１は、各種操作子や表示素子などが設けられ、ユーザによる操作入力に応じた動作制御信号を生成する。生成された動作制御信号は、後述するＨＩ制御部１２に供給される。
【００２５】
カメラ部１３は、撮像素子として例えばＣＣＤ(Charge Coupled Device)を用い、被写体から入射された光を光電変換により電気信号に変換し、撮像信号を得る。さらに、このカメラ部１３は、撮像信号に対して所定の信号処理を施し、映像信号として出力する。例えば、カメラ部１３は、撮像信号に対して相関二重サンプリング処理を実行することによりノイズ成分を除去し、シェーディング補正やマスキング補正、ニー補正、γ補正、輪郭補償などの信号処理を行うと共に、映像信号をＡ／Ｄ変換してディジタル映像信号として出力する。
【００２６】
カメラ部１３から出力されたディジタル映像信号は、カメラ制御部１４に供給される。カメラ制御部１４は、供給されたディジタル映像信号に基づき、カメラ部１３における映像信号処理の制御、ズーム調整、パンチルト調整、焦点調整に加え、メカシャッタ制御、ストロボ制御、手ぶれ補正などカメラ部１３による撮影に関する様々な制御を行う。カメラ制御部１４から出力されたディジタル映像信号は、ＨＩ制御部１２およびシステム制御部１５を介してコーデック処理部１６に供給される。
【００２７】
なお、カメラ制御部１４から出力されたディジタル映像信号は、システム制御部１５を介して、例えばＬＣＤ(Liquid Crystal Display)を表示素子として有する表示部１７にも供給される。
【００２８】
マイクロフォン２１は、このビデオカメラ装置１の筐体に内蔵され、撮影時などに音声を収音して電気信号に変換し、音声信号を得る。マイクロフォン２１から出力された音声信号は、音声処理部２２に供給され所定にゲイン制御され、Ａ／Ｄ変換されてディジタル音声信号とされる。また、音声処理部２２は、ディジタル音声信号に対するノイズ低減処理、音質補正処理なども行う。音声処理部２２から出力されたディジタル音声信号は、ＨＩ制御部１２およびシステム制御部１５を介してコーデック処理部１６に供給される。
【００２９】
コーデック処理部１６は、供給されたディジタル映像信号およびディジタル音声信号をメモリ２３に一旦溜め込む。そして、メモリ２３を用いてこれらディジタル映像信号およびディジタル音声信号に対して圧縮符号化処理を施す。圧縮符号化されたディジタル映像信号およびディジタル音声信号は、再びメモリ２３に溜め込まれる。
【００３０】
ディジタル映像信号に対する圧縮符号化方式としては、例えばＭＰＥＧ２(Moving Pictures Experts Group 2)方式を適用することができる。ディジタル音声信号は、例えばＡＣ３やＡＡＣ(Advanced Audio Coding)、ｍｐ３(Moving Pictures Experts Group 1 Audio Layer 3)、ＡＴＲＡＣ(Adaptive Transform Acoustic Coding)などを適用することができる。なお、ディジタル音声信号は、圧縮符号化を省略することもできる。圧縮符号化されメモリ２３に溜め込まれたディジタル映像信号およびディジタル音声信号は、所定にタイミング制御されてメモリ２３から読み出され、システム制御部１５に供給される。
【００３１】
また、圧縮符号化されたディジタル映像信号およびディジタル音声信号を、ＨＩ制御部１２に接続されるＵＳＢ(Universal Serial Bus)ケーブルを介して他の電子機器に送信することができる。これにより、このビデオカメラ装置１は、撮像結果と再生結果を外部機器でモニタリングすることも可能となる。
【００３２】
システム制御部１５は、コーデック処理部１６から供給されたディジタル映像信号およびディジタル音声信号を時分割多重すると共に、ＤＶＤに固有のヘッダ情報や拡張ファイルのヘッダ情報などを付加する。さらに、システム制御部１５は、ファイルシステムの管理情報や、ＶＭＧおよびＶＴＩＳといったＤＶＤビデオ規格に準ずる所定のデータを生成する。これらのデータは、記録データとしてディスクドライブ３に供給される。
【００３３】
ディスクドライブ３は、記録再生信号処理部２０およびドライブ制御部１９などを有する。記録再生信号処理部２０は、記録データに対してエラー訂正符号化処理、記録符号化処理および変調処理などを施して記録信号を生成し、図示されない光学ピックアップによりディスク２に対して記録データを記録する。
【００３４】
また、記録再生信号処理部２０は、図示されない光学ピックアップの出力に基づきフォーカスエラー信号やトラッキングエラー信号を生成する。ドライブ制御部１９は、ディスク２に対する記録再生動作を制御すると共に、記録再生信号処理部２０で生成されたフォーカスエラー信号やトラッキング信号などに基づき、光学ピックアップのフォーカス駆動、トラッキング駆動、スレッド駆動を制御する。
【００３５】
なお、ＨＩ制御部１２は、カメラ制御部１４やシステム制御部１５と、バスを介して各種信号や情報の送受信を行うと共に、フロント制御部１１から受信した各種動作制御信号に基づきコマンドを生成する。生成されたコマンドは、システム制御部１５やこのビデオカメラ装置１を構成する各部に供給され、例えばユーザの操作に応じたビデオカメラ装置１の動作を実現する。
【００３６】
例えばフロント制御部１１を介してユーザーから記録モード、再生モードが指定された場合には、かかる旨の動作制御信号がこのＨＩ制御部１２に送信されることになる。ＨＩ制御部１２は、当該動作制御信号に基づき、指定されたモードの詳細につき識別し、ディスクドライブ３のドライブ制御部１９に対して所定の制御信号を送信することになる。
【００３７】
なお、このＨＩ制御部１２は、さらにＤＶＤ再生ナビゲーションの制御、ＵＳＢインターフェースなどを介して他の電子機器とデータ通信なども実行する。
【００３８】
再生時には、ディスク２から再生された再生信号が記録再生信号処理部２０で復調され、さらに記録符号の復号化処理やエラー訂正符号の復号化処理がなされ、再生データが生成される。再生データは、システム制御部１５に供給される。システム制御部１５は、供給された再生信号から再生ディジタル映像信号および再生ディジタル音声信号を分離すると共に、ＤＶＤ固有のヘッダ情報や拡張ファイルのヘッダ情報、ファイルシステムの管理情報、ＶＭＧやＶＴＩＳなどＤＶＤ規格に準じたデータなどをそれぞれ分離する。再生ディジタル映像信号および再生ディジタル音声信号は、コーデック処理部１６に供給され、メモリ２３に溜め込まれる。分離されたその他のデータは、例えばシステム制御部１５が有するＲＡＭに記憶される。
【００３９】
コーデック処理部１６は、再生ディジタル映像信号および再生ディジタル映像信号の圧縮符号を復号化し、ベースバンドのディジタル映像信号およびディジタル音声信号を得る。このディジタル映像信号およびディジタル音声信号は、例えばＨＩ制御部１２に供給されて、ディジタル信号のまま、あるいは、Ｄ／Ａ変換されアナログ映像信号および音声信号とされて外部に出力される。
【００４０】
図２は、ディスクドライブ３の一例の構成を示す。ディスクドライブ３は、ディスク２を回転駆動するスピンドルモータ３２と、スピンドルモータ３２を駆動するための駆動信号を生成しスピンドルモータ３２に供給するスピンドルモータドライバ３８と、ディスク２に対してレーザビームを照射すると共に、ディスク２で反射されたレーザ光を受光する光学ピックアップ３１と、光学ピックアップ３１をディスク２の半径方向に移動させるスレッドモータ３３と、光学ピックアップ３１内の図示されない２軸機構を駆動制御する２軸制御部３６とを有する。
【００４１】
ディスクドライブ３は、また、光学ピックアップ３１の出力信号を処理するＲＦ部３４と、ＲＦ部３４の出力に基づき各種の制御信号を生成する信号処理部３５と、図示されないＲＯＭに予め記憶されたプログラムに従いこのディスクドライブ３の全体を制御するマイコン（マイクロコンピュータ）３９と、書き換えが可能で、電源ＯＦＦ後も書き込まれたデータを保持する不揮発性メモリ（フラッシュメモリ）４０と、外部すなわち上述したシステム制御部１５との通信を制御するインターフェイス（Ｉ／Ｆ）部４３とを有する。
【００４２】
ディスクドライブ３は、さらに、温度センサ４１およびショックセンサ４２を有する。温度センサ４１は、ディスクドライブ４１内の温度を検出し、検出結果をマイコン３９に供給する。ショックセンサ４２は、ディスクドライブ４２に対する衝撃を検出し、検出結果をマイコン３９に供給する。
【００４３】
スピンドルモータ３２は、ディスク２を装着するためのディスクテーブルが駆動軸に対して一体的に取り付けられ、スピンドルモータドライバ３８から供給される駆動信号に基づき、駆動軸を例えば、線速度一定（ＣＬＶ：Constant Linear Velocity）または、角速度一定（ＣＡＶ：Constant Angular Velocity）で回転駆動させることにより、ディスクテーブル上に装着されたディスク２を回転させる。また、スピンドルモータドライバ３８は、駆動軸の回転に応じたパルスを出力する。
【００４４】
光学ピックアップ３１は、図示は省略するが、レーザ光源としてレーザダイオードと、レーザダイオードを駆動するレーザダイオードドライバと、レーザダイオードから出射されたレーザ光をレーザビームとしてディスク２の記録層に対して集光させる光学系と、ディスク２から反射されたレーザ光を検出するフォトディテクタとを有する。光学系は、２軸制御部３６から供給される駆動信号に基づき、ディスク面方向とディスク半径方向とに２軸駆動され、フォーカスおよびトラッキングが制御される。
【００４５】
光学系は、例えば、１本のレーザビームをグレーティングなどを用いて１本の０次光と２本の１次光とに３分割してディスク２に対して照射する。フォトディテクタは、例えば、それぞれ受光面を２分割された２つの２分割ディテクタと、受光面を４分割された４分割ディテクタとからなり、２本の１次光それぞれの反射光を２分割ディテクタでそれぞれ受光すると共に、１本の０次光の反射光を４分割ディテクタで受光し、受光面に応じた検出信号をそれぞれ出力する。
【００４６】
光学ピックアップ３１から出力されるフォトディテクタの各分割受光面からの検出信号は、ＲＦ部３４に供給される。ＲＦ部３４は、供給された各検出信号に対してそれぞれ増幅処理などを施すと共に、各信号間で所定の演算を行い、フォーカスエラー信号およびトラッキングエラー信号を生成すると共に、ディスク２からの反射レーザ光に応じた再生ＲＦ信号が生成される。フォーカスエラー信号およびトラッキングエラー信号は、信号処理部３５に供給される。また、再生ＲＦ信号は、所定に復調処理され再生信号とされて信号処理部３５に供給される。
【００４７】
さらに、ＲＦ部３４は、光学ピックアップ３１から供給された信号に基づき、光学ピックアップ３１からディスク２に対して照射するレーザ光の光量を制御するための光量制御信号を生成し、光学ピックアップ３１のレーザダイオードドライバに供給する。ＲＦ部３４は、再生時には、光学ピックアップ３１からディスク２に対して照射されるレーザ光の光量を一定になるように制御する光量制御信号を生成し、記録時には、信号処理部３５から出力される記録信号に応じて光量制御信号のレベルを制御する。
【００４８】
信号処理部３５は、例えばＤＳＰ(Digital Signal Processor)からなり、上述した記録再生信号処理部２０に対応する。また、マイコン３９は、上述したドライブ制御部１９に対応する。再生時、信号処理部３５は、マイコン３９の制御に基づき、供給される再生信号をＡ／Ｄ変換して一旦記憶部３７に溜め込む。そして、記憶部３７を用いて再生データの記録符号の復号化処理やエラー訂正符号の復号化処理を行う。復号化処理された再生データが記憶部３７から所定のタイミングで読み出され、Ｉ／Ｆ４３を介してシステム制御部１５に供給される。
【００４９】
また、記録時、信号処理部３５は、Ｉ／Ｆ４３を介して供給された記録データを一旦記憶部３７に記憶し、記憶部３７を用いて記録データに対してエラー訂正符号化処理および記録符号化処理を施す。そして、これらの処理が施された記録データに基づき記録パルスを生成し、光学ピックアップ３１に供給する。
【００５０】
さらに、信号処理部３５は、ディスク２記録するデータの管理情報を生成し、例えばフラッシュメモリ４０に一時的に記憶する。そして、例えばマイコン３９の命令に従い、フラッシュメモリ４０に記憶された管理情報を参照し、例えばランダム再生やシャッフル再生といった各種再生方法を実行するように、ディスクドライブ３の各部を制御する。
【００５１】
信号処理部３５に供給されたフォーカスエラー信号およびトラッキングエラー信号は、Ａ／Ｄ変換されて所定に信号処理されて２軸制御部３６に供給される。２軸制御部３６は、供給された信号に基づき光学ピックアップ３１の２軸機構の動作を制御する。また、２軸制御部３６は、マイコン３９からの命令に従い、光学ピックアップ３１を、ディスク２上の指示されたトラック位置に移動させるための駆動信号を生成し、スレッドモータ３３に供給する。
【００５２】
図３は、この発明の実施の一形態に適用可能な、ＤＶＤ−Ｒ規格およびＤＶＤ−ＲＷ規格におけるディスク２の概略的なディスクレイアウト構造を示す。ＤＶＤ−Ｒ規格およびＤＶＤ−ＲＷ規格では、ディスク最内周に記録情報管理領域(R-Information Area)が設けられ、この記録情報管理領域の外側に、ユーザデータの記録に用いられるデータ領域(Information Area)が設けられる。記録情報管理領域には、ＰＣＡ(Power Calibration Area)と、ＲＭＡ(Recording Management Area)とが設けられる。
【００５３】
ＰＣＡは、ディスクドライブ３が記録時のレーザパワーを最適化するテストを行うために用いられる。ＰＣＡは、ＤＶＤ−Ｒ規格のディスクの場合、例えば１回のＯＰＣ処理に付き１ブロックを消費する場合、約４００回のＯＰＣ処理を行うことができる。また、ＤＶＤ−ＲＷ規格のディスクの場合、１回のＯＰＣ処理に付き８ブロックを消費する場合、約５０回のＯＰＣ処理を行うことができる。この、ＰＣＡにおける可能なＯＰＣ処理回数は、１回のＯＰＣ処理の使用量により異なる。ＲＭＡは、パワーキャリブレーション情報、レコーダＩＤ、レコーディング履歴などの記録管理情報が記録される。未記録のディスク２の場合、ＰＣＡおよびＲＭＡには、何も信号が記録されていない。
【００５４】
データ領域は、内周側から、リードイン領域、データ領域およびリードアウト領域とされる。リードイン領域には、フォーマットバージョン、ディスクタイプ（ＤＶＤ−Ｒ、ＤＶＤ＋Ｒ、ＤＶＤ−ＲＷ、ＤＶＤ＋ＲＷなど）、開始および終了セクタ数などの、ディスク２に関する情報が記録される。
【００５５】
ＤＶＤ−ＲおよびＤＶＤ−ＲＷにおいては、ディスク２の記録層に、記録のためのレーザ光をトラックに誘導するための案内溝として、所定の周波数で蛇行（ウォブル）されたグルーブが形成される。グルーブとグルーブとの間は、ランドと称される。ランドには、一定の規則に従い予めピット（ランドプリピット）が埋め込まれる。このランドプリピットは、記録時のアドレス情報や、記録の際に必要となるその他の情報を示す。ウォブルにより、スピンドルモータの制御用信号とランドプリピットを検出する際のゲート信号を生成し、これにより高精度でランドプリピットを検出することでき、ディスク２の未記録領域のアドレス情報を正確に知ることができる。
【００５６】
上述の構成において、例えばマイコン３９は、ディスクドライブ３に対するディスク２の装填時や、装填されたディスク２に対する記録指示時などに、当該ディスク２に対応したＯＰＣ処理を行うように、ディスクドライブ３の全体を制御する。ＯＰＣ処理は、例えば、マイコン３９の制御の下、装填されたディスク２のＲＭＡを読み出して、ＲＭＡに書き込まれた最適記録パワー情報に基づき、当該最適記録パワー情報から所定に変動された記録パワーでＰＣＡに対して所定の信号を書き込む。そして、ＰＣＡに書き込まれたこの信号を読み出し、変動された各記録パワーでのアシンメトリを測定し、実際の記録時の最適記録パワーを見つける。
【００５７】
次に、この発明の実施の一形態によるＯＰＣ処理について説明する。この発明では、ＯＰＣ処理を行うタイミングを、ＰＣＡの使用状況、例えば既に使用された使用量に応じて変更するようにしている。すなわち、ディスクをディスクドライブ３に挿入した際にＰＣＡの使用量を調べ、ＰＣＡの使用量が所定以下であればそのままＯＰＣ処理を実行し、ＰＣＡの使用量が所定以上であれば、記録時にＯＰＣ処理を実行する。
【００５８】
このようにすることで、新品のディスクや使用回数の少ないディスクを用いた場合には、ディスク挿入時にＯＰＣ処理が実行され、ＯＰＣ処理によるメカ動作音などが内蔵マイクロフォン２１により収音されてしまうことが防がれる。また、ある程度使用されたディスクを用いる際には、記録時にＯＰＣ処理が行われるため、ＰＣＡが無駄に消費されることが防がれる。
【００５９】
図４〜図６を用いて、ＤＶＤ−Ｒ規格のディスクに対する処理について、より具体的に説明する。図４は、この発明の実施の一形態によるディスク挿入時の一例の処理を示すフローチャートである。この図４のフローチャートにおける各処理は、例えばマイコン３９により、所定のプログラムに従い実行される。
【００６０】
ステップＳ１０でディスク２がディスクドライブ３に挿入され、所定に装填されると、ステップＳ１１で装填されたディスク２のタイプが判別される。例えば、ディスクドライブ３のマイコン３９は、フォーカスサーチを行う命令を出し、この命令に基づき２軸制御部３６、光学ピックアップ３１、ＲＦ部３４、信号処理部３５などが所定に制御され、光学ピックアップ３１によりディスク２に対してレーザ光を照射し、その反射光をフォトディテクタで検出する。検出された反射光の光量により、装填されたディスク２のタイプを判別する。すなわち、ディスクからの反射光量が所定値より大きければＤＶＤ−Ｒ、小さければＤＶＤ−ＲＷであると判別できる。
【００６１】
装填されたディスクのタイプが判別されたら、次のステップＳ１２で、サーボの調整がなされる。例えば、フォーカスサーボおよびトラッキングサーボのオフセット調整、光学ピックアップ３１の出力信号に対するゲイン調整、ディスクの傾きに対する補正など、ディスク毎のサーボ調整が行われる。これにより、ディスク２に対するデータの書き込みおよびディスク２からのデータの読み出しが行えるようになる。
【００６２】
ステップＳ１２で各種サーボが調整されると処理はステップＳ１３に移行され、装填されたディスク２の情報が取得される。すなわち、ディスク２のＲＭＡがアクセスされ、ＲＭＡに記録される記録管理情報（ＲＭＤ：Recording Management Data）が読み取られる。このＲＭＡから取得された情報に基づき、このディスク２のタイプ（ＤＶＤ−Ｒ、ＤＶＤ＋Ｒ、ＤＶＤ−ＲＷまたはＤＶＤ＋ＲＷのうち何れか）や、ディスク２の使用履歴などを知ることができる。
【００６３】
次のステップＳ１４で、ＰＣＡがサーチされ、ＰＣＡがどの部分まで使用されているかが検索される。例えば、ＰＣＡを光学ピックアップ３１の再生ＲＦ信号をモニタしながらサーチし、再生ＲＦ信号の変化に基づきＰＣＡが使用された最終のアドレスである最終使用アドレスＰＣＡｄｄｒを検索する。一例として、再生ＲＦ信号の振幅が略０になった位置を、最終使用アドレスＰＣＡｄｄｒとする。ＲＭＡにＰＣＡの最終使用アドレスＰＣＡｄｄｒが書き込まれているときは、この情報を用いてもよい。
【００６４】
図５を用いて、より具体的に説明する。図５は、図３を用いて説明したディスクレイアウトを、ＰＣＡに注目してより詳細に示す。ＤＶＤ−Ｒ規格においては、ディスク上の物理アドレスＰＳＮ(Physical Sector Number)＝０ｘ１Ｅ８００からＰＳＮ＝０ｘ２０３Ｂ０の範囲がＰＣＡとされており、ＰＳＮ＝０ｘ３００００以降がデータ領域となっている。なお、物理アドレスの表記中、「０ｘ」は、これに続く数値が１６進表記であることを示す。
【００６５】
ＰＣＡは、ディスク２の外周側から内周側に向けて、すなわち、大きい値の物理アドレスから小さい値の物理アドレスに向けて使用される。したがって、ステップＳ１４では、例えば、光学ピックアップ３１をＰＳＮ＝０ｘ２０３Ｂ０の位置から光学ピックアップ３１をＰＳＮ＝０ｘ１Ｅ８００まで移動させながら、光学ピックアップ３１から出力される再生ＲＦ信号の振幅をモニタし、振幅が略０になる位置を検索する。図５では、ＰＣＡが斜線を付した部分まで使用されているものとし、斜線部分のディスク２に対する最内周側端をＰＣＡの最終使用アドレスＰＣＡｄｄｒとする。
【００６６】
なお、上述のステップＳ１０〜Ｓ１４までの処理は、ディスクドライブ３にディスク２が装填された際に必ず実行される処理である。
【００６７】
ステップＳ１４でＰＣＡの最終使用アドレスＰＣＡｄｄｒが取得されると、次のステップＳ１５で、取得された最終使用アドレスＰＣＡｄｄｒと、ＰＣＡ内の所定の物理アドレスＡとが比較される。所定の物理アドレスＡは、例えばＰＣＡの略中点であるＰＳＮ＝０ｘ１Ｆ５Ｅ０とする。最終使用アドレスＰＣＡｄｄｒと比較される所定の物理アドレスＡは、ＰＣＡの中点の物理アドレスに限らず、他の位置の物理アドレスとすることもできる。
【００６８】
若し、ステップＳ１５で、最終使用アドレスＰＣＡｄｄｒの値が所定の物理アドレスＡの値よりも大きいと判断されれば、処理はステップＳ１６に移行され、ＯＰＣ処理が実行される。すなわち、この場合、このディスク２は、過去のＯＰＣ処理によるＰＣＡの消費が比較的少ないと判断でき、ディスク２のディスクドライブ３への装填時に予めＯＰＣ処理を実行しておく。ＯＰＣ処理は、周知既存の方法により行われる。
【００６９】
ＯＰＣ処理が実行されると、次のステップＳ１７で、ＯＰＣフラグがＯＮとされ、ＯＰＣ処理を実行したことが示される。ＯＰＣフラグの値は、例えば、マイコン３９のレジスタやマイコン３９に接続されるＲＡＭ、あるいは、フラッシュメモリ４０に保存され、ディスク２の排出時に初期化される。そして、次のステップＳ１８で、ＯＰＣ処理実行時の温度が温度センサ４１により測定される。測定結果は、例えばマイコン３９に接続されるＲＡＭまたはフラッシュメモリ４０に書き込まれる。
【００７０】
一方、ステップＳ１５で、最終使用アドレスＰＣＡｄｄｒの値が所定の物理アドレスＡの値より小さいと判断されれば、この図５のフローチャートによる一連の処理が終了される。すなわち、この場合、このディスク２は、過去のＯＰＣ処理によりＰＣＡが比較的多く消費されていると判断でき、ディスク２のディスクドライブ３への装填時にはＯＰＣ処理を行わず、実際にディスク２にデータを記録する際に、ＯＰＣ処理を行う。
【００７１】
図６は、この発明の実施の一形態による、ディスク２に対して記録を開始する際の一例の処理を示すフローチャートである。ディスクドライブ３にディスク２が装填された状態で、例えばユーザ操作によりディスク２に対するデータの記録が指示されると、先ず、ステップＳ２０でＯＰＣフラグが参照され、このディスク２がディスクドライブ３に装填されてから、ＯＰＣ処理がこのディスク２に対して実行されたか否かが判断される。
【００７２】
若し、ＯＰＣフラグが例えばＯＦＦ、すなわち、ＯＰＣ処理が実行されていないことを示す値とされていれば、このディスク２は、ディスクドライブ３に装填されてから未だＯＰＣ処理が実行されていないため、ステップＳ２３でＯＰＣ処理が実行される。ＯＰＣ処理が実行されると、次のステップＳ２４でＯＰＣフラグがＯＮとされ、ＯＰＣ処理を実行したことが示される。このとき、温度センサ４１で温度測定を行い、測定結果をレジスタやメモリに保存しておくとよい。そして、次のステップＳ２５で、ディスク２へのデータの記録が開始される。
【００７３】
一方、ステップＳ２０で、ＯＰＣフラグがＯＮ、すなわち、ＯＰＣ処理が既に実行されていることを示す値とされていれば、処理はステップＳ２１に移行され、温度センサ４１により温度測定がなされる。そして、ステップＳ２２で、前回測定された温度と、ステップＳ２１で測定された温度の差分が温度差ΔＴとして求められ、この温度差ΔＴが所定値ΔＴthと比較される。所定値ΔＴthは、例えば４０℃とされる。
【００７４】
若し、ステップＳ２２で温度差ΔＴが所定値ΔＴthより小さいと判断されれば、処理はステップＳ２５に移行され、ＯＰＣ処理を行わずにディスク２に対するデータの記録が介される。すなわち、前回の温度測定時から温度の変動が少なければ、光学ピックアップ３１の温度依存性のパラメータの値にも変化が少ないと見なすことができ、ＯＰＣ処理を省略することができる。
【００７５】
また、また、ステップＳ２２で、温度差ΔＴが所定値ΔＴthよりも大きければ、処理はステップＳ２３に移行され、ＯＰＣ処理が実行される。この場合には、前回の温度測定時からの温度の変動が大きく、前回の温度測定時になされたＯＰＣ処理により調整された値が温度の変動に伴い変化している可能性があるので、ＯＰＣ処理を行う。
【００７６】
このように、この発明では、ＰＣＡの既使用量が少ない場合には、ディスク２のディスクドライブ３に対する装填時にＯＰＣ処理を行う。これにより、例えばユーザにより記録開始が指示されてからは、ＯＰＣ処理を行わないため、記録開始時にＰＣＡへのシーク動作が行われず、シーク動作に伴う音声が記録されることがない。それと共に、記録時にシーク動作に伴う振動も無くなる。さらに、ディスク装填時に予めＯＰＣ処理を行い、記録時には行われないため、記録操作から記録開始までのレスポンスが高速化される。
【００７７】
さらにまた、ＰＣＡ既使用量が多い場合には、ディスク装填時にＯＰＣ処理が行われないため、例えば記録動作を伴わないディスク２の装填／排出の繰り返しによるＰＣＡの無駄な消費を防ぐことができる。
【００７８】
なお、上述では、ＯＰＣ処理を何時行うかの判断を、ディスク２がディスクドライブ３に装填された時点で行うように説明したが、これはこの例に限定されない。例えば、ビデオカメラ装置１の動作モードが記録モードに切り換えられた際に、ＯＰＣ処理を何時行うかの判断をしてもよい。例えば、上述の図４のフローチャートにおいて、ステップＳ１４とステップＳ１５との間で動作モードの判別を行い、現在の動作モードが記録モードであれば、ステップＳ１６からの処理を続行し、ディスク２に対するデータの記録を行わない、例えば再生モードであれば、一連の処理を終了する。すなわちこの場合には、再生モード時には、ディスク２がディスクドライブ３に装填されても、ＯＰＣ処理が行われない。
【００７９】
また、上述では、この発明がＤＶＤ−Ｒ規格に準じた記録可能光ディスクを用いた場合に適用されるように説明したが、これはこの例に限定されず、ＤＶＤ−Ｒ規格のディスクとディスクレイアウトが同様とされ、書き換え可能なディスクであるＤＶＤ−ＲＷ規格のディスクに対しても適用可能である。ＤＶＤ−ＲＷ規格のディスクにおいては、記録特性の光学ピックアップ３１の温度に対する依存性が小さいため、ディスク装填時または記録時に１度だけ、ＯＰＣ処理を行えばよい。
【００８０】
さらに、この発明は、ＤＶＤ＋Ｒ規格などの、ＤＶＤ−Ｒ規格とはディスクレイアウトが異なる他の規格による記録可能光ディスクを用いる場合についても適用可能なものである。
【００８１】
図７は、ＤＶＤ＋Ｒ規格による記録可能光ディスクのディスクレイアウトを概略的に示す。なお、図７では、ＯＰＣ処理に関連する部分に注目して示している。ＤＶＤ＋Ｒ規格のディスクでは、内周側から、インナディスクテストゾーン(Inner Disc Test Zone)、カウントゾーン(Count Zone)およびＴＯＣゾーン(Table Of Contents Zone)とが配され、その外周から、リードイン領域、データ領域と配される。インナディスクテストゾーンは、ＤＶＤ−Ｒ規格およびＤＶＤ−ＲＷ規格におけるＰＣＡに相当する領域であって、ＯＰＣ処理の際に用いられる。インナディスクテストゾーンは、物理アドレスでＰＳＮ＝０ｘ２３０８０からＰＳＮ＝０ｘ２７０８０までの範囲とされる。インナディスクテストゾーンが使用されるのに伴い、インナディスクテストゾーンの使用されたアドレスに対応したカウントゾーンのアドレスに、"０"が書き込まれる。
【００８２】
ＤＶＤ＋Ｒ規格においても、インナディスクテストゾーンは、ＯＰＣ処理の際に外周側から内周側へと向けて用いられる。そこで、上述した所定の物理アドレスＡに対応する、ＤＶＤ＋Ｒ規格における所定の物理アドレスＡ’を、ＰＳＮ＝０ｘ２３０８０およびＰＳＮ＝０ｘ２７０８０の略中点のＰＳＮ＝０ｘ２５０８０とし、インナディスクテストゾーンがＯＰＣ処理により使用された最終使用アドレスと、この所定の物理アドレスＡ’とを比較する。
【００８３】
そして、上述したＤＶＤ−Ｒの場合と同様に、最終使用アドレスが物理アドレスＡ’よりも大きく、このディスクに対する過去のＯＰＣ処理によるインナディスクテストゾーンの消費が少ないと判断された場合は、ディスク装填時にＯＰＣ処理を行う。また、最終使用アドレスが物理アドレスＡ’よりも小さい場合には、記録時にＯＰＣ処理を行う。
【００８４】
なお、ＤＶＤ＋Ｒ規格では、ＤＶＤ−Ｒ規格におけるＲＭＡに相当する領域は、ＴＯＣゾーンおよびリードイン領域に含まれるインナディスクＩＤ(Identification)ゾーンとなる。
【図面の簡単な説明】
【００８５】
【図１】この発明に適用可能なビデオカメラ装置の一例の構成を示すブロック図である。
【図２】ディスクドライブの一例の構成を示すブロック図である。
【図３】ＤＶＤ−Ｒ規格およびＤＶＤ−ＲＷ規格における概略的なディスクレイアウト構造を示す略線図である。
【図４】この発明の実施の一形態によるディスク挿入時の一例の処理を示すフローチャートである。
【図５】ＤＶＤ−Ｒ規格およびＤＶＤ−ＲＷ規格におけるディスクレイアウトを、ＰＣＡに注目してより詳細に示す略線図である。
【図６】この発明の実施の一形態による、ディスクに対して記録を開始する際の一例の処理を示すフローチャートである。
【図７】ＤＶＤ＋Ｒ規格による記録可能光ディスクのディスクレイアウトを概略的に示す略線図である。
【符号の説明】
【００８６】
１  ビデオカメラ装置
２  ディスク
３  ディスクドライブ
３１  光学ピックアップ
３４  ＲＦ部
３５  信号処理部
３６  ２軸制御部
３９  マイコン
４１  温度センサ
【図１】
2006318561.tif 000003
【図２】
2006318561.tif 000004
【図３】
2006318561.tif 000005
【図４】
2006318561.tif 000006
【図５】
2006318561.tif 000007
【図６】
2006318561.tif 000008
【図７】
2006318561.tif 000009